(57)【要約】  マルチキャリアＨＳＤＰＡ制御チャネルの割り当て方法、パケット伝送方法及びＲＮＣにおいて、ユーザ端末がネットワークにアクセスしたとき、ネットワーク側は、ユーザ端末による監視を必要とするＫ対の上り／下り制御チャネルを前記ユーザ端末に割り当て、ＨＳＤＰＡサービス伝送過程において、ネットワーク側は、前記Ｋ対の上り／下り制御チャネルからＮ対を選択して制御情報を伝送し、選択した下り制御チャネル及びこれとペアである上り制御チャネルが同一キャリアに位置し、ネットワーク側は、選択したＮ対の上り／下り制御チャネルが位置するキャリア毎において、一対の上り／下り付随チャネルを割り当て、Ｍはネットワーク側がパケットデータの送信に使用するキャリア数であり、Ｍ≧Ｎ≧1である。本発明は、従来技術においてシングルキャリアＨＳＤＰＡがシングルキャリアの伝送制御のみを考慮し、マルチキャリアＨＳＤＰＡの制御需要を満足できない課題を効果的に解決できる。
2008547291.tif 000002
【特許請求の範囲】
【請求項１】
ユーザ端末がネットワークにアクセスしたとき、ネットワーク側が、ユーザ端末による監視を必要とするＫ対の上り／下り制御チャネルを前記ユーザ端末に割り当てるステップＡと、
ＨＳＤＰＡサービス伝送過程において、ネットワーク側が、前記Ｋ対の上り／下り制御チャネルからＮ対の上り／下り制御チャネルを選択して制御情報の伝送を行い、選択した下り制御チャネル及びこれとペアである上り制御チャネルが同一キャリアに位置するステップＢと、
ネットワーク側が、前記選択したＮ対の上り／下り制御チャネルが位置するキャリア毎において、一対の上り／下り付随チャネルを割り当てるステップＣと
を含み、
前記ステップＣにおいて、Ｍは、ネットワーク側がパケットデータの送信に使用するキャリア数であり、Ｍ≧Ｎ≧1であることを特徴とするマルチキャリアＨＳＤＰＡ制御チャネルの割り当て方法。
【請求項２】
前記上り制御チャネルは、ユーザ端末が対応するキャリアにおけるチャネル条件、及び受信応答情報を伝送することに用いられ、上り制御チャネルとペアである下り制御チャネルは、対応するキャリアにおけるＨＳ−ＤＳＣＨチャネルリソースに関する下り制御情報の伝送に用いられることを特徴とする請求項１に記載のマルチキャリアＨＳＤＰＡ制御チャネルの割り当て方法。
【請求項３】
前記ステップＢにおいて、
前記Ｎ対の上り／下り制御チャネルは、ネットワーク側がデータ伝送のために使用するキャリアと一対一に対応しており、各対の上り／下り制御チャネルは、対応するキャリアにおけるＨＳ−ＤＳＣＨチャネルの制御情報の伝送に用いられることを特徴とする請求項１に記載のマルチキャリアＨＳＤＰＡ制御チャネルの割り当て方法。
【請求項４】
前記ステップＢにおけるＮ対の上り／下り制御チャネルは、同一キャリアに位置し、
前記ステップＣにおいて、ネットワーク側は、前記Ｎ対の上り／下り制御チャネルが位置するキャリアにおいて一対の上り／下り付随チャネルを割り当てることを特徴とする請求項３に記載のマルチキャリアＨＳＤＰＡ制御チャネルの割り当て方法。
【請求項５】
前記ステップＢにおいて、Ｎは１であり、前記対の上り／下り制御チャネルは、すべてのキャリアにおけるＨＳ−ＤＳＣＨチャネルの制御情報の伝送に用いられることを特徴とする請求項１に記載のマルチキャリアＨＳＤＰＡ制御チャネルの割り当て方法。
【請求項６】
前記ステップＡにおいて、前記Ｋ対の上り／下り制御チャネルは、同一キャリアに位置することを特徴とする請求項１に記載のマルチキャリアＨＳＤＰＡ制御チャネルの割り当て方法。
【請求項７】
ユーザ端末がネットワークにアクセスしたとき、ネットワーク側が、ユーザ端末による監視を必要とするＫ対の上り／下り制御チャネルを前記ユーザ端末に割り当てるステップＡと、
ＨＳＤＰＡサービス伝送過程において、ネットワーク側が、前記Ｋ対の上り／下り制御チャネルからＮ対の上り／下り制御チャネルを選択して制御情報の伝送を行い、選択した下り制御チャネル及びこれとペアである上り制御チャネルが同一キャリアに位置するステップＢと、
ネットワーク側が、前記選択したＮ対の上り／下り制御チャネルが位置するキャリア毎において、一対の上り／下り付随チャネルを割り当てるステップＣと、
ネットワーク側が、下り制御チャネルを介して、ユーザ端末がパケットデータを受信できるようにする制御情報を送信し、ユーザ端末によって下り制御チャネルを介して前記制御情報を取得するステップＤと、
ネットワーク側が、上り制御チャネルからフィードバックされた送信データ応答情報とユーザ端末のチャネル品質指示とに基づいて、スケジューリング処理を行った後パケットデータを送信するステップＥと
を含み、
前記ステップＣにおいて、Ｍは、ネットワーク側がパケットデータの送信に使用するキャリア数であり、Ｍ≧Ｎ≧1であることを特徴とするマルチキャリアＨＳＤＰＡのパケットデータ伝送方法。
【請求項８】
ステップＣとステップＤの間において、
前記ユーザ端末が、上り／下り付随チャネルの情報を用いて、選択した上り／下り制御チャネルに初期電力を設定することをさらに含むことを特徴とする請求項７に記載のマルチキャリアＨＳＤＰＡのパケットデータ伝送方法。
【請求項９】
前記ステップＢにおいて、
前記Ｎ対の上り／下り制御チャネルは、ネットワーク側がデータ伝送のために使用するキャリアと一対一に対応しており、各対の上り／下り制御チャネルは、対応するキャリアにおけるＨＳ−ＤＳＣＨチャネルの制御情報の伝送に用いられることを特徴とする請求項７に記載のマルチキャリアＨＳＤＰＡのパケットデータ伝送方法。
【請求項１０】
前記ステップＢにおけるＮ対の上り／下り制御チャネルは、同一キャリアに位置し、前記ステップＣにおいて、ネットワーク側は、前記Ｎ対の上り／下り制御チャネルが位置するキャリアにおいて一対の上り／下り付随チャネルを割り当てることを特徴とする請求項９に記載のマルチキャリアＨＳＤＰＡのパケットデータ伝送方法。
【請求項１１】
前記ステップＢにおいて、Ｎは１であり、一対の上り／下り制御チャネルを利用して、すべてのキャリアにおけるＨＳ−ＤＳＣＨチャネルの制御情報を伝送することを特徴とする請求項７に記載のマルチキャリアＨＳＤＰＡのパケットデータ伝送方法。
【請求項１２】
前記ステップＡにおいて、前記Ｋ対の上り／下り制御チャネルは、同一キャリアに位置することを特徴とする請求項７に記載のマルチキャリアＨＳＤＰＡのパケットデータ伝送方法。
【請求項１３】
マルチキャリアＨＳＤＰＡ制御チャネルの割り当てに用いる無線ネットワーク制御器において、
上り／下り制御チャネル割り当てユニットと、上り／下り制御チャネル選択ユニットと、及び上り／下り付随チャネル割り当てユニットとを有する制御チャネル割り当て装置を含み、
前記上り／下り制御チャネル割り当てユニットは、ネットワークにアクセスするユーザ端末にＫ対の上り／下り制御チャネルを割り当て、
前記上り／下り制御チャネル選択ユニットは、上り／下り制御チャネル割り当てユニットを接続し、ＨＳＤＰＡサービス伝送過程において、前記Ｋ対の上り／下り制御チャネルからＮ対の上り／下り制御チャネルを選択して制御情報の伝送を行い、
前記上り／下り付随チャネル割り当てユニットは、前記選択した各対の上り／下り制御チャネルが位置するキャリア毎において、一対の上り／下り付随チャネルを割り当てることを特徴とする無線ネットワーク制御器。
【発明の詳細な説明】
【技術分野】
【０００１】
本発明は、モバイル通信分野に係り、特に、ＨＳＤＰＡ（高速下りリンクパケットアクセス）技術における制御チャネルの割り当てとマルチキャリアＨＳＤＰＡのパケットデータ伝送方法に関する。
【背景技術】
【０００２】
高速移動パケットデータサービスに対するサポート能力は、３Ｇシステムの最も重要となる特徴の一つである。ＷＣＤＭＡ  Ｒ９９バージョンは、ピーク速度が２Ｍｂｐｓのデータ速度を提供できる。この速度は、従来のパケットサービスの大部分にとってほぼ充分である。しかしながら、例えば、ビデオ、ストリームメディア、下りロードなどのトラピック及び遅延に対する要求が比較的に高いデータサービスの場合、システムがさらに高い伝送速度とさらに短い遅延を提供することが必要となる。
【０００３】
ＨＳＤＰＡ技術は、３ＧＰＰ団体がＲ５バージョンに導入した技術である。ＨＳＤＰＡは、高速で非対称のデータサービスをサポートするだけではなく、ネットワーク容量を大幅に増加させるとともに、オペレータのコストを最小化とする。これは、ＵＭＴＳ（汎用移動通信システム：Uiversal Mobile Telecommunications System）のより高いデータ伝送速度とより高い容量に安定した進化ルートを提供している。Ｒ５バージョンのＨＳＤＰＡ技術は、ＣＤＭＡ２０００１Ｘ  ＥＶ-ＤＯの設計理念と経験を充分に参考にして、高速共有チャネル（ＨＳ−ＤＳＣＨ）を新たに追加している。ＨＳ−ＤＳＣＨによって、伝送電力、ＲＮコードなどのリソースが統一に利用されるようになり、ユーザの実際の状況に応じてダイナミックに割り当てることで、リソースの利用率を向上させている。
【０００４】
Ｒｅｌｅａｓｅ５基準のシングルキャリアＨＳＤＰＡの伝送過程において、一のユーザ端末がはじめてネットワークにアクセスしたとき、ネットワーク側は、一対の上り／下り個別物理チャネルＤＰＣＨ、及び監視が必要な複数対のＨＳ−ＳＣＣＨ（下り共有制御チャネル）とＨＳ−ＳIＣＨ（上り共有制御チャネル）をユーザ端末に割り当てる。前記一対の上り／下りＤＰＣＨを上り／下り付随チャネルという。ネットワーク側は、ＨＳ−ＤＳＣＨチャネルを利用してユーザ端末にパケットデータを送信する前に、まずそのうちの一つのＨＳ−ＳＣＣＨチャネルを用いてユーザ端末に、例えば送信するパケットデータが占めるチャネルリソース、変調方式などの該当する制御情報を送信して、ユーザ端末がＨＳ−ＤＳＣＨチャネルにおいて送信されるデータを正しく受信でき、及びＨＳ−ＳIＣＨを用いてデータの再送をネットワーク側に通知できるようにする。すなわち、ＨＳ−ＳＣＣＨチャネルは、下りリンクにおいて、主に、ＨＳ−ＤＳＣＨチャネルの復号に必要な制御情報の送信に用いられる。ＨＳ−ＳIＣＨチャネルは、上りリンクにおいて、必要とする制御情報の伝送に用いられる。この制御情報は、主に伝送パケットに対する応答と下りリンク品質のフィードバック情報である。
【０００５】
上り／下り付随チャネルは、電力制御情報、同期情報、ハイレイヤシグナリング及びデータ応答メッセージを伝送してもよく、データを伝送してもよい。事実上、上り／下り付随チャネルは主に、ハイレイヤ制御シグナリング、ハイレイヤ応答メッセージ及び初期化ＨＳ−ＳＣＣＨとＨＳ−ＳIＣＨチャネルの電力制御と同期制御メッセージを伝送する。ユーザ端末は、上り／下り付随チャネルを用いて、ＨＳ−ＳＣＣＨチャネルにおいて採用される送信電力、同期制御情報などを取得できることで、ユーザ端末がＨＳ−ＳＣＣＨチャネルの制御情報を受信するようにし、ＨＳ−ＳIＣＨチャネルを用いて迅速に情報をフィードバックして、パケットデータの伝送を迅速に確立する。
【０００６】
システムの性能をさらに向上させるために、出願人は、マルチキャリアＨＳＤＰＡ技術によりパケットデータサービスの伝送能力を向上させる案を提出している。しかしながら、現在のＲ５基準では、ＨＳＤＰＡのシングルキャリア伝送方式のみが採用されており、パケットデータの伝送を制御するための制御チャネル（ＨＳ−ＳＣＣＨチャネル、ＨＳ−ＳIＣＨチャネル及び上り／下り付随チャネル）の割り当てが比較的に簡単であり、マルチキャリアＨＳＤＰＡのデータ伝送を満足することができない。
【発明の開示】
【発明が解決しようとする課題】
【０００７】
本発明の目的は、マルチキャリアＨＳＤＰＡ制御チャネルの割り当て方法、パケットデータ伝送方法及びＲＮＣを提供することにより、従来技術においてシングルキャリアＨＳＤＰＡがシングルキャリアの伝送制御のみを考慮し、マルチキャリアＨＳＤＰＡの制御需要を満足できない課題を解決することにある。
【課題を解決するための手段】
【０００８】
上記目的を達成するために、本発明は、マルチキャリアＨＳＤＰＡ制御チャネルの割り当て方法を提供する。この方法は、
ユーザ端末がネットワークにアクセスしたとき、ネットワーク側が、ユーザ端末による監視を必要とするＫ対の上り／下り制御チャネルを前記ユーザ端末に割り当てるステップＡと、
ＨＳＤＰＡサービス伝送過程において、ネットワーク側が、前記Ｋ対の上り／下り制御チャネルからＮ対の上り／下り制御チャネルを選択して制御情報の伝送を行い、選択した下り制御チャネル及びこれとペアである上り制御チャネルが同一キャリアに位置するステップＢと、
ネットワーク側が、前記選択したＮ対の上り／下り制御チャネルが位置するキャリア毎において、一対の上り／下り付随チャネルを割り当てるステップＣとを含み、
前記ステップＣにおいて、Ｍは、ネットワーク側がパケットデータの送信に使用するキャリア数であり、Ｍ≧Ｎ≧1である。
【０００９】
上記割り当て方法において、前記上り制御チャネルは、ユーザ端末が対応するキャリアにおけるチャネル条件、及び受信応答情報を伝送することに用いられ、上り制御チャネルとペアである下り制御チャネルは、対応するキャリアにおけるＨＳ−ＤＳＣＨチャネルリソースに関する下り制御情報の伝送に用いられる。
【００１０】
上記割り当て方法のステップＢにおいて、Ｎ対の上り／下り制御チャネルは、ネットワーク側がデータ伝送のために使用するキャリアと一対一に対応しており、各対の上り／下り制御チャネルは、対応するキャリアにおけるＨＳ−ＤＳＣＨチャネルの制御情報の伝送に用いられる。
【００１１】
上記割り当て方法の前記ステップＢにおけるＮ対の上り／下り制御チャネルは、同一キャリアに位置し、前記ステップＣにおいて、ネットワーク側は、前記Ｎ対の上り／下り制御チャネルが位置するキャリアにおいて一対の上り／下り付随チャネルを割り当てる。
【００１２】
上記割り当て方法の前記ステップＢにおいて、Ｎは１であり、前記対の上り／下り制御チャネルは、すべてのキャリアにおけるＨＳ−ＤＳＣＨチャネルの制御情報の伝送に用いられる。
【００１３】
上記割り当て方法の前記ステップＡにおいて、前記Ｋ対の上り／下り制御チャネルは、同一キャリアに位置する。
【００１４】
上記目的をより達成するために、本発明は、マルチキャリアＨＳＤＰＡのパケットデータ伝送方法を提供する。この方法は、
ユーザ端末がネットワークにアクセスしたとき、ネットワーク側が、ユーザ端末による監視を必要とするＫ対の上り／下り制御チャネルを前記ユーザ端末に割り当てるステップＡと、
ＨＳＤＰＡサービス伝送過程において、ネットワーク側が、前記Ｋ対の上り／下り制御チャネルからＮ対の上り／下り制御チャネルを選択して制御情報の伝送を行い、選択した下り制御チャネル及びこれとペアである上り制御チャネルが同一キャリアに位置するステップＢと、
ネットワーク側が、前記選択したＮ対の上り／下り制御チャネルが位置するキャリア毎において、一対の上り／下り付随チャネルを割り当てるステップＣと、
ネットワーク側が、下り制御チャネルを介して、ユーザ端末がパケットデータを受信できるようにする制御情報を送信し、ユーザ端末によって下り制御チャネルを介して前記制御情報を取得するステップＤと、
ネットワーク側が、上り制御チャネルからフィードバックされた送信データ応答情報とユーザ端末のチャネル品質指示とに基づいて、スケジューリング処理を行った後パケットデータを送信するステップＥとを含み、
前記ステップＣにおいて、Ｍは、ネットワーク側がパケットデータの送信に使用するキャリア数であり、Ｍ≧Ｎ≧1である。
【００１５】
上記パケットデータ伝送方法のステップＣとステップＤの間において、前記ユーザ端末が、上り／下り付随チャネルの情報を用いて、選択した上り／下り制御チャネルに初期電力を設定することをさらに含む。
【００１６】
上記パケットデータ伝送方法の前記ステップＢにおいて、Ｎ対の上り／下り制御チャネルは、ネットワーク側がデータ伝送のために使用するキャリアと一対一に対応しており、各対の上り／下り制御チャネルは、対応するキャリアにおけるＨＳ−ＤＳＣＨチャネルの制御情報の伝送に用いられる。
【００１７】
上記パケットデータ伝送方法の前記ステップＢにおけるＮ対の上り／下り制御チャネルは、同一キャリアに位置し、前記ステップＣにおいて、ネットワーク側は、前記Ｎ対の上り／下り制御チャネルが位置するキャリアにおいて一対の上り／下り付随チャネルを割り当てる。
【００１８】
上記パケットデータ伝送方法の前記ステップＢにおいて、Ｎは１であり、一対の上り／下り制御チャネルを利用して、すべてのキャリアにおけるＨＳ−ＤＳＣＨチャネルの制御情報を伝送する。
【００１９】
上記パケットデータ伝送方法の前記ステップＡにおいて、前記Ｋ対の上り／下り制御チャネルは、同一キャリアに位置する。
【００２０】
上記目的をさらに達成するために、本発明は、マルチキャリアＨＳＤＰＡの制御チャネルの割り当てに用いる無線ネットワーク制御器を提供する。該無線ネットワーク制御器は、上り／下り制御チャネル割り当てユニットと、上り／下り制御チャネル選択ユニットと、及び上り／下り付随チャネル割り当てユニットとを有する制御チャネル割り当て装置を含み、
前記上り／下り制御チャネル割り当てユニットは、ネットワークにアクセスするユーザ端末にＫ対の上り／下り制御チャネルを割り当て、
前記上り／下り制御チャネル選択ユニットは、上り／下り制御チャネル割り当てユニットを接続し、ＨＳＤＰＡサービス伝送過程において、前記Ｋ対の上り／下り制御チャネルからＮ対の上り／下り制御チャネルを選択して制御情報の伝送を行い、
前記上り／下り付随チャネル割り当てユニットは、前記選択した各対の上り／下り制御チャネルが位置するキャリア毎において、一対の上り／下り付随チャネルを割り当てる。
【発明の効果】
【００２１】
本発明は、従来のマルチキャリアＨＳＤＰＡ伝送の特徴に基づいて、マルチキャリアＨＳＤＰＡのパケットデータ伝送に適用する制御チャネル割り当て方法を提出し、従来技術のシングルキャリアＨＳＤＰＡがシングルキャリアの伝送制御のみを考慮し、マルチキャリアＨＳＤＰＡの制御需要を満足できない課題を効果的に解決することができる。
【００２２】
また、本発明は、複数のキャリアが同一制御チャネルを共用する割り当て方法を提供する。本発明によれば、データの伝送過程において、各ユーザ端末が一つの制御チャネルを監視するだけでよい。ユーザ端末にとっては、その実現が簡単である。
【００２３】
また、本発明は、各キャリアが一つの制御チャネルに対応する割り当て方法を提供し、ネットワーク側がチャネルを割り当てるときにより便利で、柔軟であり、リソース配置に便利である。
【００２４】
また、本発明は、同一ユーザ端末のすべてのＨＳ-ＳＣＣＨチャネルとすべてのＨＳ-ＳIＣＨチャネルとを同一キャリアにおいて選択し、同一キャリアにおいて一対のみの上り／下り付随チャネルを同一ユーザに割り当てることができ、端末の実現複雑度を低減させるとともに、リソースの利用率を向上させることができる。
【発明を実施するための最良の形態】
【００２５】
以下、図面を参照して、本発明を詳しく説明する。
【００２６】
本発明の核心は、マルチキャリアＨＳＤＰＡは、シングルキャリアＨＳＤＰＡと比べて、パケットデータ伝送に用いるチャネルリソースが多くなるため、マルチキャリアＨＳＤＰＡを利用してパケットデータ伝送を行うときに考慮すべき各種類の要素も多くなることにある。
【００２７】
マルチキャリアＨＳＤＰＡの応用において、すべてのキャリアにおいてＨＳＤＰＡ伝送に用いるチャネルリソースを一つのＨＳ-ＤＳＣＨチャネルにすると仮定する。ユーザ端末がネットワークにアクセスしたとき、ＨＳＤＰＡサービス伝送を行うために、ネットワーク側は、監視が必要なＫ対の上り／下り制御チャネルをユーザ端末に割り当てる。ＨＳＤＰＡサービス伝送過程において、ネットワーク側は、上記ユーザ端末に割り当てたＫ対の監視が必要なチャネルからＮ対の上り／下り制御チャネルを選択してＨＳＤＰＡのデータ伝送制御を行う。ネットワーク側は、上記ユーザ端末のために一対の上り／下り制御チャネルを選択して、すべてのキャリアにおいてＨＳ-ＤＳＣＨチャネルに関する制御情報を前記上り／下り制御チャネルを用いて伝送してもよい。同時に、ネットワーク側は、ユーザ端末が各キャリアにおいてＨＳＤＰＡ伝送に用いる制御情報を、一対の上り／下り制御チャネルを用いて伝送し、各対の上り／下り制御チャネルと一つのキャリアとの対応関係を確立してもよい。上り／下り付随チャネルを利用することによって、同一キャリアで選択された上り制御チャネルと下り制御チャネルに対して初期電力を設定する。マルチキャリアＨＳＤＰＡのパケットデータ伝送過程において、ユーザ端末は、上り／下り付随チャネルを用いて、選択された上り／下り制御チャネルの初期電力と同期情報を設定し、選択された上り／下り制御チャネルを用いてネットワーク側と制御情報のやり取りを行い、下り制御情報を監視して取得した制御情報を用いて、ネットワーク側から送信されるパケットデータを受信し、マルチキャリアＨＳＤＰＡのパケットデータ伝送を実現する。
【００２８】
図１は、本発明による、マルチキャリアＨＳＤＰＡ制御チャネルの割り当て方法のフローチャートを示す。
【００２９】
ステップＳ１１０において、ユーザ端末がネットワークにアクセスしたとき、ネットワーク側は、前記ユーザ端末による監視を必要とするＫ対の上り／下り制御チャネルをユーザ端末に割り当てる。ネットワーク側は、具体的なチャネルリソースに応じて、Ｋ対の上り／下り制御チャネルを割り当てることができる。Ｋは、システム及びネットワーク側によりリソース状況に応じて決定される。ネットワーク側は、チャネルリソースに応じて、同一ユーザ端末に割り当てるＫ対の上り／下り制御チャネルをなるべく同一キャリアに割り当てもよい。
【００３０】
ステップＳ１２０において、ＨＳＤＰＡサービス伝送過程において、ネットワーク側は、ユーザ端末に割り当てたＫ対の上り／下り制御チャネルからＮ対の上り／下り制御チャネルを選択して制御情報の伝送を行い、選択した下り制御チャネル及びこれとペアである上り制御チャネルは同一キャリアに位置する。
【００３１】
ステップＳ１３０において、ネットワーク側は、上記選択した上り／下り制御チャネルが位置するキャリア毎において、一対の上り／下り付随チャネルを割り当てる。Ｍは、ネットワーク側がパケットデータの送信に使用するキャリア数であり、Ｍ≧Ｎ≧1である。
【００３２】
ユーザ端末がパケットデータ伝送を実現する複雑度を低減させるために、本発明は、同一ユーザ端末のために選択するすべてのＨＳ-ＳＣＣＨチャネルとすべてのＨＳ-ＳIＣＨチャネルとをなるべく同一キャリアにおいて選択してもよい。同一ユーザ端末のために選択したすべてのＨＳ-ＳＣＣＨチャネルとすべてのＨＳ-ＳIＣＨチャネルとが同一キャリアに位置するとき、前記ユーザ端末に一対の上り／下り付随チャネルを割り当てることで、リソースの利用率を向上させることができる。
【００３３】
以下、本発明のマルチキャリアＨＳＤＰＡ制御チャネルの割り当てを二つの実施形態で説明する。
【実施例１】
【００３４】
ユーザ端末がネットワークにアクセスすると、ネットワーク側は、上記ユーザ端末にＫ（Ｋ≧１）対の上り／下り制御チャネルを割り当てて、ユーザ端末による監視に用いる。ＨＳＤＰＡサービス伝送過程において、ネットワーク側は、ネットワークにアクセスしたユーザ端末に対して、上記Ｋ対の上り／下り制御チャネルから一対の上り／下り制御チャネル（ＨＳ-ＳＣＣＨとＨＳ-ＳIＣＨ）を選択し、前記対の上り／下り制御チャネルは、すべてのキャリアにおけるパケットデータ伝送のための制御情報を伝送する。ＨＳ-ＳＣＣＨチャネルにおける上記制御情報は、キャリア数及び対応する周波数ポイント、各キャリアにおいて当該ユーザに割り当てるタイムスロット、コードチャネル番号、送信データの変調方式、送信データブロックのサイズ、冗長バージョン番号、再送識別及びＨＡＲＱの処理プロセス、及びＵＥのＩＤ番号を含む。ユーザ端末は、下り制御チャネルから送信された制御情報に基づいて、ネットワーク側から送信されたパケットスイッチングデータを正しく受信することができる。ＨＳ-ＳIＣＨチャネルにおける上記制御情報は、ユーザ端末からネットワーク側に送信した、パケットデータの伝送に用いられる各キャリアのチャネル条件情報と受信パケットデータ応答情報を含む。
【００３５】
ユーザ端末がネットワーク側にアクセスすると、ネットワーク側は通常、若干対のＨＳ-ＳＣＣＨチャネルとＨＳ-ＳIＣＨチャネルとを同一ユーザ端末に割り当てる。同一キャリアにおいてＨＳ-ＳＣＣＨチャネルとＨＳ-ＳIＣＨチャネルとを選択することが原則である。また、当該ユーザ端末に割り当てる上り／下り付随チャネルも同一キャリアに位置する。複数のキャリアが同一制御チャネルを共用する方法を採用して、その優れた点は、各ユーザ端末が監視するＨＳ-ＳＣＣＨチャネルが比較的少なく、端末での実現が比較的簡単なことである。
【実施例２】
【００３６】
ＨＳＤＰＡサービス伝送過程において、各キャリアと、選択された一対の上り／下り制御チャネル（ＨＳ-ＳＣＣＨとＨＳ-ＳIＣＨ）との対応関係を確立する。ネットワーク側は、ユーザ端末に対して、各キャリアにおいてＨＳＤＰＡ伝送に用いる制御情報を、本キャリアに対応する前記対の上り／下り制御チャネルを用いて伝送し、上り／下り付随チャネルを利用することによって、同一キャリア上の上り制御チャネルと下り制御チャネルに初期電力を設定する。すなわち、マルチキャリア伝送過程において、ネットワーク側がＬ個のキャリアを用いてパケットデータの伝送を行うと、ネットワーク側は、Ｌ対の上り／下り制御チャネルをＬ個のキャリアに対応させ、各対の上り／下り制御チャネルは、一つのキャリアにおいてＨＳ-ＤＳＣＨに関する制御情報を伝送する。ユーザ端末は、Ｋ（Ｋ≧Ｌ）個のＨＳ-ＳＣＣＨチャネルを監視して、パケットデータを取得できるのに必要な制御情報を取得する。上記必要な制御情報は、キャリアの周波数ポイント、本キャリアが当該ユーザに割り当てるタイムスロット、コードチャネル番号、送信データの変調方式、送信データブロックのサイズ、冗長バージョン番号、再送識別、及びＨＡＲＱの処理プロセス及びＵＥのＩＤ番号を含む。対応するＨＳ−ＳIＣＨチャネルは、当該キャリアの上り制御情報を送信し、該制御情報は、前記キャリアのチャネル条件とパケットデータの受信応答情報を含む。
【００３７】
ユーザ端末の、選択されたすべてのＨＳ-ＳＣＣＨチャネルは同一キャリアに位置して、一つのキャリア上のパケットデータ伝送に必要とする制御情報をそれぞれ伝送してもよい。ユーザ端末のすべてのＨＳ-ＳＣＣＨチャネルは、異なるキャリアにおいて選択してもよい。例えば、各キャリア上のＨＳ-ＳＣＣＨチャネルは、本キャリアにおけるパケットデータ伝送に必要とする制御情報を伝送し、又は複数のＨＳ-ＳＣＣＨチャネルが一つのキャリアに位置して、異なるキャリア上のパケットデータ伝送に必要とする制御情報をそれぞれ伝送する。
【００３８】
また、ユーザ端末に割り当てるＫ個のＨＳ-ＳＣＣＨチャネルは、なるべく同一キャリアに割り当てることができる。しかしながら、ユーザ端末の実現複雑度の簡単化、及びリソース利用率の向上のために、通常、同一ユーザのＨＳ-ＳIＣＨチャネルを同一キャリアに割り当て、同一ユーザのＨＳ-ＳＣＣＨチャネルを同一キャリアに割り当てる。つまり、チャネルリソースの許可範囲内において、同一ユーザのＨＳ-ＳIＣＨチャネル、ＨＳ-ＳＣＣＨチャネルを同一キャリアに割り当て、同一キャリアにおいて、上記ユーザ端末に一対の上り／下り付随チャネルを割り当てることができる。
【００３９】
ユーザ端末のすべてのＨＳ-ＳＣＣＨチャネルとＨＳ-ＳIＣＨチャネルとが同一キャリアから選択される場合、該ユーザに割り当てる付随ＤＰＣＨチャネルは一対しかない。Ｋ対のＨＳ-ＳＣＣＨチャネルとＨＳ-ＳIＣＨチャネルとがＭ個のキャリアにおいて割り当てられる場合、Ｍ対の付随ＤＰＣＨチャネルを割り当てることが必要であり、各対の上り／下り制御チャネルが一対のキャリアに対応する。
【００４０】
選択された各対のＨＳ-ＳＣＣＨチャネルとＨＳ-ＳＣＣＨチャネルは、一つのキャリアにおける伝送情報を制御する。すなわち、ＨＳ-ＳＣＣＨは、ＨＳ−ＤＳＣＨチャネルが本キャリアにおいて割り当てたチャネルリソースと、データブロックのサイズなどの情報を伝送することを指示し、ＨＳ-ＳIＣＨはチャネル条件とＡＣＫ応答情報を報告する。Ｎｏｄｅ  Ｂが端末ＵＥにＡ、Ｂ、Ｃの三つのキャリアを割り当ててＨＳ-ＤＳＣＨチャネルデータを伝送すると設定すると、Ｎｏｄｅ  Ｂは、三対のＨＳ-ＳＣＣＨとＨＳ-ＳＣＣＨ制御チャネルを用いて該当する制御情報を送信し、各対の制御チャネルは、一つのキャリアにおけるＨＳ-ＤＳＣＨチャネルの伝送フォーマットを制御する。
【００４１】
本実施形態２によるマルチキャリアＨＳＤＰＡ制御チャネルの割り当てによれば、その割り当てはより便利で柔軟であり、ネットワーク側のリソース配置に有利である。
【００４２】
上記開示したマルチキャリアＨＳＤＰＡ制御チャネルの割り当てに基づいて、本発明は、マルチキャリアＨＳＤＰＡのパケットデータ伝送方法をさらに提供する。図２は、本発明による、マルチキャリアＨＳＤＰＡのパケットデータ伝送のフローチャートを示す。
【００４３】
ステップ２１０において、マルチキャリアＨＳＤＰＡ制御チャネルを割り当てるが、この処理は以下のステップを含む。
【００４４】
ステップＡにおいて、ユーザ端末がネットワークにアクセスしたとき、ネットワーク側は、Ｋ対の上り／下り制御チャネルを上記ユーザ端末に割り当ててユーザ端末を監視する。
【００４５】
ステップＢにおいて、ＨＳＤＰＡサービス伝送過程において、ネットワーク側は、ユーザ端末に割り当てたＫ対の上り／下り制御チャネルからＮ対の上り／下り制御チャネルを選択して制御情報の伝送を行い、選択した下り制御チャネル及びこれとペアである上り制御チャネルは同一キャリアに位置する。
【００４６】
ステップＣにおいて、ネットワーク側は、上記選択した上り／下り制御チャネルが位置する各キャリアにおいて、一対の上り／下り付随チャネルを割り当て、Ｍはネットワーク側がパケットデータの送信に使用するキャリア数であり、Ｍ≧Ｎ≧1である。
【００４７】
事実上、上り／下り制御チャネルは共通チャネルであるが、上り／下り付随チャネルは個別チャネルである。上り／下り付随チャネルは、ユーザ端末のハイレイヤ制御シグナリング、ハイレイヤ応答メッセージ及び初期化ＨＳ−ＳＣＣＨとＨＳ−ＳIＣＨチャネルの電力制御と同期制御メッセージを伝送する。ユーザ端末は、上り／下り付随チャネルを介して、ネットワーク側から送信されたハイレイヤシグナリング及び上り／下り制御チャネルの電力と同期制御情報を取得して、ユーザ端末が選択された上り／下り制御チャネルの初期電力を正しく設定し同期制御を行うようにし、さらにユーザ端末とネットワーク側とが選択された上り／下り制御チャネルを介して通信するようにする。ネットワーク側は、ＨＳ-ＳＣＣＨチャネルを介して、ＨＳ-ＤＳＣＨチャネルにおいてユーザ端末に送信したデータブロックの情報をユーザ端末に通知できる。該情報には、採用するタイムスロット、チャネル、変調方式、データブロックのサイズ、冗長バージョン番号、及び再送識別などが含まれる。ユーザ端末は、ＨＳ-ＳIＣＨチャネルを介して、伝送データの応答メッセージとユーザ端末のチャネル条件をネットワーク側にフィードバックすることができる。
【００４８】
ステップ２２０において、ネットワーク側は、選択された下り制御チャネルを介して、ユーザ端末のパケットデータの受信に必要とする制御情報を送信して、ユーザ端末が上記制御情報を受信できるようにする。ユーザ端末は、ステップ２１０で割り当てたＨＳ-ＳＣＣＨチャネルをリアルタイムに監視し、情報を検出したときに、制御情報を受信して復調して、所定のフォマットで復号、ＣＲＣ検査などを行って、パケットデータの送信に必要とする制御情報を取得することができる。
【００４９】
ステップ２３０において、ネットワーク側は、上り制御チャネルからフィードバックされた送信データ応答情報とユーザ端末のチャネル品質指示とに基づいて、スケジューリング処理を行った後パケットデータを送信する。
【００５０】
ネットワーク側は、ＨＳ-ＤＳＣＨチャネルを介してパケットデータを送信する。ユーザ端末が受信したデータにエラーがあり、且つ、最大再送回数を超えなかった場合、データの再送をＨＳ-ＳIＣＨチャネルを介してネットワーク側に通知する。受信したデータにエラーがあり、且つ、最大再送回数を超えた場合、該データを廃棄してネットワーク側から新しいデータを送信する。データにエラーがなかった場合、ネットワーク側から新しいデータを送信する。送信データ応答メッセージとユーザ端末のチャネル品質指示メッセージは、ＨＳ-ＳIＣＨチャネルを介して送信され、ネットワーク側は、ＨＳ-ＳIＣＨチャネルによって伝送されたものであって、フィードバックされた送信データ応答メッセージとユーザ端末のチャネル品質指示を受信して、データを再送するか又は新しいデータを伝送するかを決定する。
【００５１】
本発明の上記手順によれば、マルチキャリアＨＳＤＰＡのパケットデータ伝送を実現することができる。以下、二つの例を挙げて上記パケットデータ伝送を説明する。
（例１）
ユーザＡのＵＥがＮ個のキャリアにおいてＨＳＤＰＡデータを受信することをサポートすると仮定すると、ネットワーク側は、当該ＵＥがサポートするＮ個のキャリアからＭ（Ｍ≦Ｎ）個のキャリアのチャネルリソースを選択する。上記チャネルリソースには、キャリア、タイムスロット、及びコードチャネルが含まれる。ネットワーク側は、Ｋ対のＨＳ-ＳＣＣＨチャネルとＨＳ-ＳIＣＨチャネルとをＵＥに割り当て、且つ、ペアとなるＨＳ-ＳＣＣＨチャネルとＨＳ-ＳIＣＨチャネルとが同一キャリアに位置する。
【００５２】
ユーザＡのＵＥは、データ伝送のないときに、前記Ｋ個のＨＳ-ＳＣＣＨチャネルを監視する。ネットワーク側がＨＳ-ＤＳＣＨチャネルにおいてユーザＡのＵＥにデータを送信するときに、ネットワーク側は、Ｋ個のＨＳ-ＳＣＣＨチャネルから一つを選択してＨＳ-ＤＳＣＨの制御チャネルとし、すべてのＨＳ-ＤＳＣＨチャネルに関する制御情報を送信し、当該キャリアにおいて一対の上り／下り付随チャネルを割り当てる。
Ｎｏｄｅ  ＢがＬ個のキャリアを用いて同時にユーザＡのＵＥにデータを送信すると仮定すると、前記ＨＳ-ＳＣＣＨチャネルは、Ｌ個のキャリアにおけるＨＳ-ＤＳＣＨチャネルの制御情報をユーザＡのＵＥに送信する。上記制御情報は、例えばキャリア数及び対応する周波数ポイント、各キャリアにおいて当該ユーザに割り当てるタイムスロット、コードチャネル番号、送信データの変調方式、送信データブロックのサイズ、冗長バージョン番号、再送識別及びＨＡＲＱの処理プロセス及びＵＥのＩＤ番号を含む。つまり、複数のキャリアの下り制御情報は、前記制御チャネルを介して伝送される。同時に、ユーザＡのＵＥは、Ｌ個のキャリアのチャネル条件と受信応答情報を、ＨＳ-ＳＣＣＨチャネルに対応するＨＳ-ＳIＣＨチャネルを介してＮｏｄｅ  Ｂに送信し、ネットワーク側は、ＵＥから報告された受信応答情報に基づいて再送するか否かを決定する。新しいデータを送信する場合、ネットワーク側は、チャネル条件情報に基づいて、次回伝送のサービス対象と伝送格式を決定する。
【００５３】
複数のキャリアが一対の制御チャネルを共用してデータを伝送する方法によれば、各ユーザ端末が一つのＨＳ-ＳＣＣＨチャネルを監視するだけでよく、実現がとても便利である。
（例２）
ユーザＡのＵＥがＮ個のキャリアにおいてＨＳＤＰＡデータを受信することをサポートすると仮定すると、ネットワーク側は、当該ＵＥがサポートするＮ個のキャリアからＭ（１≦Ｍ≦Ｎ）個のキャリアのチャネルリソースを選択する。ネットワーク側は、Ｋ対のＨＳ-ＳＣＣＨチャネルとＨＳ-ＳIＣＨチャネルとをＵＥに割り当て、且つ、ペアとなるＨＳ-ＳＣＣＨとＨＳ-ＳIＣＨチャネルとが同一キャリアに位置する。
【００５４】
ユーザＡのＵＥは、データ伝送のないときに、前記Ｋ個のＨＳ-ＳＣＣＨチャネルを監視する。ネットワーク側のＮｏｄｅ  ＢがＬ（１≦Ｌ≦Ｍ）個のキャリアのＨＳ-ＤＳＣＨチャネルを用いてユーザＡのＵＥにデータを送信する場合、Ｎｏｄｅ  Ｂは、Ｋ対のＨＳ-ＳＣＣＨチャネルとＨＳ-ＳIＣＨチャネルからＬ対のＨＳ-ＳＣＣＨとＨＳ-ＳIＣＨチャネルを選択して制御チャネルとし、各キャリアは一対の制御チャネルに対応する。Ｎｏｄｅ  Ｂは、各キャリアに対応するＨＳ-ＳＣＣＨチャネルにおいて、当該キャリアのＨＳ-ＤＳＣＨチャネルリソースに対する下り制御情報を前記チャネルを介して送信する。同様に、対応するＨＳ-ＳIＣＨチャネルは、前記キャリアの上り制御情報を送信する。制御情報は、前記キャリアのチャネル条件と送信データの受信応答情報を含む。
【００５５】
ユーザのすべてのＨＳ-ＳＣＣＨチャネルとＨＳ-ＳIＣＨチャネルとが同一キャリアに位置する場合、当該ユーザに割り当てる付随ＤＰＣＨチャネルは一対しかない。一方、Ｋ対の制御チャネルがＭ個のキャリアに割り当てられた場合、Ｍ対の付随ＤＰＣＨチャネルを割り当てる必要があり、各対の付随ＤＰＣＨチャネルは一対のキャリアに対応する。
【００５６】
各対のＨＳ-ＳＣＣＨとＨＳ-ＳIＣＨチャネルとは、一つのキャリアにおける伝送情報を制御する。すなわち、ＨＳ-ＳＣＣＨは、ＨＳ-ＤＳＣＨチャネルが本キャリアにおいて割り当てたチャネルリソース、伝送データブロックのサイズなどの情報を指示し、ＨＳ-ＳIＣＨはチャネル条件とＡＣＫ応答情報を報告する。
【００５７】
各キャリアが一つの制御チャネルに対応してデータ伝送を行う方法によれば、ネットワーク側にとって、割り当てがより便利で柔軟であり、リソース配置に有利である。
【００５８】
マルチキャリアＨＳＤＰＡの制御チャネルの割り当てに用いる無線ネットワーク制御器において、上り／下り制御チャネル割り当てユニット、上り／下り制御チャネル選択ユニット及び上り／下り付随チャネル割り当てユニットを有する制御チャネル割り当て装置を含み、そのうち、
上記上り／下り制御チャネル割り当てユニットは、ネットワークにアクセスするユーザ端末にＫ対の上り／下り制御チャネルを割り当て、
上記上り／下り制御チャネル選択ユニットは、上り／下り制御チャネル割り当てユニットを接続し、ＨＳＤＰＡサービス伝送過程において、ユーザ端末に割り当てられたＫ対の上り／下り制御チャネルからＮ対の上り／下り制御チャネルを選択して制御情報の伝送を行い、
上記上り／下り付随チャネル割り当てユニットは、上記選択した各対の上り／下り制御チャネルが位置するキャリア毎において、一対の上り／下り付随チャネルを割り当てる。
【００５９】
無線ネットワーク制御器の制御チャネル割り当て装置は、無線ネットワーク制御器の中の制御器で実現することができる。各セルにおける制御チャネルの割り当ては通常一致している。例えば、セルにアクセスしたユーザに一対の上り／下り制御チャネルを割り当てる。制御チャネル割り当て装置は、送受信ユニットに接続でき、ユーザ端末がネットワークにアクセスしたときに、上り／下り制御チャネル割り当てユニットは当該ユーザ端末に上り／下り制御チャネルを割り当てる。上記上り／下り制御チャネル選択ユニットは、上り／下り制御チャネル割り当てユニットを接続し、ＨＳＤＰＡサービス伝送過程において、ユーザ端末に割り当てられたＫ対の上り／下り制御チャネルからＮ対の上り／下り制御チャネルを選択して制御情報の伝送を行う。上り／下り付随チャネル割り当てユニットは、選択した上り／下り制御チャネルが位置するキャリアに基づいて、対応する上り／下り付随チャネルを割り当てる。各対の上り／下り制御チャネルは同一キャリアに位置し、各対の上り／下り制御チャネルが位置するキャリアにおいて一対の上り／下り付随チャネルを割り当てる。
【００６０】
上記開示内容は、本発明のいくつかの具体的な実施形態に過ぎない。本発明は、これに限られるものではない。当該分野の技術者が考えられるすべての変形は、本発明の範囲内にある。
【図面の簡単な説明】
【００６１】
【図１】本発明による、マルチキャリアＨＳＤＰＡ制御チャネルの割り当て方法を示すフローチャートである。
【図２】本発明による、マルチキャリアＨＳＤＰＡのパケットデータ伝送方法を示す。
【図１】
2008547291.tif 000003
【図２】
2008547291.tif 000004
【国際調査報告】
2008547291.tif 000005
2008547291.tif 000006
2008547291.tif 000007
2008547291.tif 000008